(57)【要約】【課題】  受信部の構成は従来と同様にコストを抑えた典型的な構成を採ることができ、テレビやＦＭラジオ等の放送など他の強電力の電波を受信してしまうことでの誤動作を防止することができる電波信号報知装置を提供すること【解決手段】  受信部２，ＲＳＳＩ検出部３，報知制御部４，表示部５，検波部６，検波出力レベル判定部７などを備えて、３５０ＭＨｚから４００ＭＨｚ等の帯域の電波を受信し、目標電波の受信時に音や光等の表示による報知を行う構成にする。受信モニタする帯域の周波数はカーロケーターシステム，車両速度測定のための連絡無線などに割り当てられている。検波出力レベル判定部７では検波出力レベルが所定範囲にあるときは目標電波であると判定し、検波出力レベルが所定以上では目標電波ではなく誤受信であると判定し、報知制御部４は判定結果が誤受信の際は報知動作の停止指示を出力する動作を行う。【選択図】  図１
2008270867.tif 000002
【特許請求の範囲】
【請求項１】
３５０ＭＨｚから４００ＭＨｚ等の特定周波数帯域における電波を受信して目標電波の受信時に音や光等の表示による報知を行う電波信号報知装置であって、
アンテナおよび電波受信のための受信部と、前記受信部で受信した電波の検波出力レベルについて検査して真偽性の判定を行う検波出力レベル判定部と、
前記検波出力レベル判定部が出力する判定結果に応じて報知動作のための指示を出力する報知制御部と、
前記報知制御部の指示に応じて音や光等の表示による報知動作を行う表示部と、を備え、
前記検波出力レベル判定部は、前記検波出力レベルが所定範囲にあるときは前記目標電波であると判定し、前記検波出力レベルが所定以上では前記目標電波ではなく誤受信であると判定し、
前記報知制御部は前記判定結果が誤受信の際は報知動作の停止指示を出力することを特徴とする電波信号報知装置。
【発明の詳細な説明】
【技術分野】
【０００１】
本発明は、特定周波数帯域の電波を受信して目標電波の受信時に音や光等の表示による報知を行う電波信号報知装置に関するもので、より具体的には、受信した電波信号について真偽性の判定を行う判定動作の改良に関する。
【背景技術】
【０００２】
本発明の対象とする電波信号報知装置は、いわゆる無線受信機であって車両等へ装備し、特定周波数帯域の電波を受信して目標電波の受信時に音や光等の表示による報知を行うようになっている。これは、例えば３５０ＭＨｚから４００ＭＨｚ等の帯域における電波を受信するように構成し、これらの周波数はカーロケーターシステム，各種連絡無線などに割り当てられている。
【０００３】
具体的には、カーロケーターシステムは、緊急車両の現在位置を動的に把握するためのシステムであり、これは移動する緊急車両から位置情報を４０７．７２５ＭＨｚの周波数によりデータ伝送し、それら位置情報データを受信した通信指令本部において地図画面上にリアルタイムで位置表示するようになっている。そこで、電波信号報知装置では、データ伝送の搬送波（４０７．７２５ＭＨｚ）をモニタするので、そうした緊急車両が近辺に存在するか否かを検知することにより、緊急車両の走行の妨げにならないようにするなど、安全走行に役立てることができる。
【発明の開示】
【発明が解決しようとする課題】
【０００４】
しかし、テレビやＦＭラジオ等の送信所の近辺では当該送信による電波が強電界となるため混信を受けてしまい、誤動作を引き起こす問題がある。また、車両速度測定のための連絡無線やカーロケーターシステムでは変調方式はＦＭ（周波数変調）であって占有周波数帯幅（周波数偏移）を±５ｋＨｚとする、いわゆるナロー（Ｎ−ＦＭ）を採用している。一方、テレビ放送やＦＭラジオでは周波数偏移は±５ｋＨｚを上回る、いわゆるワイド（Ｗ−ＦＭ）となっている。したがって、ＦＭにおいてはよく知られるように、正式な技術用語ではないが「弱肉強食特性」と呼ばれる特性が顕著であり、同一の搬送波周波数の強い信号を受信した場合、弱い信号は強い信号によって隠されてしまい、マスキングが起きる。例えば、検出目標電波である連絡無線の送信出力が１Ｗ、テレビやＦＭラジオ等の放送など他の強電力の電波の送信出力が１０ｋＷである場合は出力差が４０ｄＢとなり、これでは目標電波は隠されてしまい、その存在が確認できなくなる。
【０００５】
そこで対策として、受信部に設けるフィルタを遮断特性がシャープで減衰特性の高い高性能なものとし、目標電波についての選択度特性を上げる構成にする考えがある。しかし強電界地域では、電波は必ずしもアンテナから入力するとは限らなく、回路の各部へ直接に飛び込んでくる高調波成分があるので、フィルタをむやみに高性能にしても混信は防止できない。また、フィルタを遮断特性，減衰特性が良好なものとするにはコストが上がり、インダクタ，コンデンサなどの回路素子を追加することになるので小型化が難しくなる。
【０００６】
この発明は上述した課題を解決するもので、その目的は、受信部の構成は従来と同様にコストを抑えた典型的な構成を採ることができ、テレビやＦＭラジオ等の放送など他の強電力の電波を受信してしまうことでの誤動作を防止することができる電波信号報知装置を提供することにある。
【課題を解決するための手段】
【０００７】
上述した目的を達成するために、本発明に係る電波信号報知装置は、３５０ＭＨｚから４００ＭＨｚ等の特定周波数帯域における電波を受信して目標電波の受信時に音や光等の表示による報知を行う電波信号報知装置であって、アンテナおよび電波受信のための受信部と、受信部で受信した電波の検波出力レベルについて検査して真偽性の判定を行う検波出力レベル判定部と、検波出力レベル判定部が出力する判定結果に応じて報知動作のための指示を出力する報知制御部と、報知制御部の指示に応じて音や光等の表示による報知動作を行う表示部とを備え、検波出力レベル判定部では検波出力レベルが所定範囲にあるときは目標電波であると判定し、検波出力レベルが所定以上では目標電波ではなく誤受信であると判定し、報知制御部は判定結果が誤受信の際は報知動作の停止指示を出力する構成にする（請求項１）。
【０００８】
係る構成にすることにより本発明では、検波出力レベルが所定範囲にあるときは目標電波であると判定し、検波出力レベルが所定範囲以上では目標電波ではなく誤受信であると判定し、報知制御部は判定結果が誤受信の際は報知動作の停止指示を出力する動作を行う。
【０００９】
目標電波のカーロケーターシステム，各種の連絡無線では占有周波数帯幅（周波数偏移）を±５ｋＨｚとするナロー（Ｎ−ＦＭ）を採用しており、これに対して、テレビやＦＭラジオでは周波数偏移は±５ｋＨｚを上回るワイド（Ｗ−ＦＭ）であることから、周波数偏移の差は検波出力の差で現れ、検波出力レベルを監視することにより、テレビやＦＭラジオ等の放送など他の強電力の電波による受信であるか否かを判定することができる。つまり、検波出力レベルが所定以上では目標電波ではなく、他の強電力の電波による受信であると判断することができる。
【発明の効果】
【００１０】
本発明に係る電波信号報知装置では、検波出力レベルが所定以上では目標電波ではなく誤受信であると判定する。この所定以上の電波は、テレビやＦＭラジオ等の放送など他の強電力の電波による受信が該当することになる。よって、誤受信であると判定した際は報知動作の停止指示を出力するので誤動作を防止できる。もちろんこの場合、受信部の構成は従来と同様にコストを抑えた典型的な構成を採ることができる。
【発明を実施するための最良の形態】
【００１１】
図１は本発明の好適な一実施の形態を示している。本形態において、電波信号報知装置は、アンテナ１，受信部２，ＲＳＳＩ検出部３，報知制御部４，表示部５，検波部６，検波出力レベル判定部７などを備えて、特定周波数帯域の電波を受信して目標電波の受信時に音や光等の表示による報知を行う構成になっている。受信モニタする帯域は例えば３５０ＭＨｚから４００ＭＨｚ等の帯域とし、前述したように、これらの周波数はカーロケーターシステム（４０７．７２５ＭＨｚ），車両速度測定のための連絡無線（３５０．１ＭＨｚ）などに割り当てられている。
【００１２】
受信部２は、例えばスーパーヘテロダイン方式の構成とし、電波の受信には周波数スキャンを行っており、周波数の自動切り替えにより上述した特定周波数帯域をモニタしている。受信した電波信号は、ＲＳＳＩ検出部３と検波部６に与えられる。ＲＳＳＩ検出部３は、受信した電波のＲＳＳＩ電圧が規定値以上か否かを判断し、規定値以上で受信状態と判定する。その判定結果が、報知制御部４に与えられる。
【００１３】
一方、検波部６は、受信した電波信号を検波し、その検波出力を検波出力レベル判定部７に与える。検波出力レベル判定部７は、検波出力レベルを検査することにより、テレビやＦＭラジオ等の放送など他の強電力の電波による受信か否かを判定し、受信した電波信号について真偽性の判定を行う。そして、その真偽性の判定結果を報知制御部４に送る。これら各処理部３，４，５，６の具体的な処理機能は、以下に示す通りである。
【００１４】
すなわち、まず、ＲＳＳＩ電圧が一定以上となりＲＳＳＩ検出部３の出力が、信号受信と判断した場合に、「真の受信」か「偽の受信」のいずれかの受信があったとして処理される。
【００１５】
そして周波数スキャンの動作では、図２に示すように、周波数スキャンにおいて受信があった際は（Ｓ１，ＹＥＳ）、検波出力レベル判定部７は、検波出力レベルの検査を行う（Ｓ２）。ここで、検波出力レベルが、所定以上では目標電波ではなく「偽の受信」と判定し（Ｓ２，ＹＥＳ）、所定範囲にあるときは「真の受信」と判定する（Ｓ２，ＮＯ）。
【００１６】
検波出力レベル判定部７での判定結果が「真の受信」では、受信報知のため報知制御部４から表示部５へ報知音のオン指示を出力し（Ｓ３）、発光表示のオン指示を出力する（Ｓ４）。
【００１７】
検波出力レベル判定部７での判定結果が「偽の受信」では、報知制御部４において報知音および発光表示の指示状態を検査し（Ｓ５）、オフ指示の状態にあるときは（Ｓ５，ＮＯ）周波数スキャンの動作へ戻る。報知制御部４において報知音および発光表示のオン指示の状態にあるときは（Ｓ５，ＹＥＳ）、報知制御部４から表示部５へ報知音のオフ指示を出力し（Ｓ６）、発光表示のオフ指示を出力する（Ｓ７）。
【００１８】
何れの場合もその後は、次の周波数スキャンのため処理ルーチンの先頭へ戻る。つまり、検波出力レベル判定部７では、受信部２から検波出力を受け取り、その受信レベルが図３（ａ）に示すように、基準電圧下限から基準電圧上限の範囲にあるときは「真の受信」であると判定し、「真の受信」であることの判定結果を報知制御部４へ出力する。また、受信レベルが図３（ｂ）に示すように、基準電圧下限から基準電圧上限の範囲を外れるときは「偽の受信」であると判定し、「偽の受信」であることの判定結果を報知制御部４へ出力する。
【００１９】
そして、報知制御部４は、検波出力レベル判定部７からの判定結果が、「真の受信」であるときは表示部５に対して報知音と発光表示のオン指示を出力し、「偽の受信」つまり誤受信であるときは表示部５に対して報知音と発光表示のオフ指示を出力する動作を行う。
【００２０】
このように、検波出力レベルが所定以上では目標電波ではなく誤受信であると判定するので、これにはテレビやＦＭラジオ等の放送など他の強電力の電波による受信が該当することになる。
【００２１】
すなわち、目標電波のカーロケーターシステム，取り締まり連絡無線では占有周波数帯幅（周波数偏移）を±５ｋＨｚとするナロー（Ｎ−ＦＭ）を採用しており、これに対して、テレビやＦＭラジオでは周波数偏移は±５ｋＨｚを上回るワイド（Ｗ−ＦＭ）であることから、周波数偏移の差は検波出力の差で現れ、検波出力レベルを監視することにより、テレビやＦＭラジオ等の放送など他の強電力の電波による受信であるか否かを判定することができる。したがって、検波出力レベルが所定以上では目標電波ではなく、他の強電力の電波による受信であると判断することができ、誤受信であると判定した際は報知動作の停止指示を出力するので誤動作を防止できる。もちろんこの場合、受信部２の構成は従来と同様にコストを抑えた典型的な構成を採ることができる。
【図面の簡単な説明】
【００２２】
【図１】本発明に係る電波信号報知装置の構成図である。
【図２】目標電波の受信における判定動作のフローチャートである。
【図３】判定動作における検波出力レベルのグラフであり、（ａ）は「真の受信」と判定する検波出力レベルの例、（ｂ）は「偽の受信」と判定する検波出力レベルの例である。
【符号の説明】
【００２３】
１  アンテナ
２  受信部
３  ＲＳＳＩ検出部
４  報知制御部
５  表示部
６  検波部
７  検波出力レベル判定部
【図１】
2008270867.tif 000003
【図２】
2008270867.tif 000004
【図３】
2008270867.tif 000005